(57)【特許請求の範囲】
【請求項１】
剃毛及び刈込みを組み合わせた装置であって、
上端部及び下端部を有するハンドルと、
湿式剃毛かみそりアタッチメントと、を備え、
前記ハンドルは、
前記上端部に隣接して配置される電動刈込み刃と、
刈込み器ハウジングの両側において前記電動刈込み刃に近接して配置される位置合わせ部材を有する、前記上端部に隣接して配置される刈込み器ハウジングと、
前記上端部に近接して前記ハンドル内に配置され、突出する口縁を含む前部側面と後部側面とを有する、スロットと、を含み、
前記湿式剃毛かみそりアタッチメントは、
前部端部及び後部端部を有する接続部材であって、
前記前部端部に近接して前記接続部材の両側に配置され、前記刈込み器ハウジング上の前記位置合わせ部材に解除可能に取り付けられる、位置合わせ溝と、
前記後部端部に配置され、ラッチ表面を含み、前記ハンドル内の前記スロットに解除可能に取り付けられ、前記ラッチ表面が、前記スロットの前記前部側面上の前記突出する口縁に対して付勢される、少なくとも１つのフックと、を含む、接続部材と、
前記接続部材の前記前部端部に取り付けられるかみそりカートリッジと、を含む、装置。
【請求項２】
前記接続部材が前記ハンドルと緊合する関係に引き寄せるように、及び前記装置を落下させることにより生じる過度の力の下で前記接続部材が解放され得るように、前記ラッチ表面と前記フックとが角度を付けられている、請求項１に記載の装置。
【請求項３】
前記フックが、通常使用中に前記接続部材の動きを制限するリブを含む、請求項１に記載の装置。
【請求項４】
前記位置合わせ部材がピンを含み、前記位置合わせ溝がスロット又はチャネルを含む、請求項１に記載の装置。
【請求項５】
前記ピンが、第１の直径を有する基部と、第２の直径を有する先端部とを含む段式ピンを含み、前記第１の直径が、前記第２の直径より大きい、請求項４に記載の装置。
【請求項６】
前記位置合わせ溝が、第１の幅を有する第１のチャネルと、前記第１の幅より小さい第２の幅を有する前記第１のチャネル内の第２のチャネルとを形成する複合溝を含み、前記第１のチャネルが前記段式ピンの前記基部を受容し、前記第２のチャネルが前記段式ピンの前記先端部を受容する、請求項５に記載の装置。
【請求項７】
前記接続部材の両側に配置される前記位置合わせ溝がＬ字形であり、前記位置合わせ部材と相互作用し、前記刈込み器ハウジングへの前記接続部材の一方向の取り付けを提供する、請求項１に記載の装置。
【請求項８】
剃毛及び刈込みを組み合わせた装置であって、
上端部及び下端部を有するハンドルと、
湿式剃毛かみそりアタッチメントと、を備え、
前記ハンドルは、
前記上端部に隣接して配置される電動刈込み刃と、
刈込み器ハウジングの両側において前記電動刈込み刃に近接して配置される位置合わせ部材を有する、前記上端部に隣接して配置される刈込み器ハウジングと、
前記上端部に近接するバネ負荷のスライダーであって、
前記スライダーの直線的な動きを前部方向及び後部方向に付勢するバネと、
突出する口縁を含む前部側面と後部側面とを有するスロットと、を含む、バネ負荷のスライダーと、を含む、ハンドルと、
前記湿式剃毛かみそりアタッチメントは、
前部端部及び後部端部を有する接続部材であって、
前記前部端部に近接して前記接続部材の両側に配置され、前記刈込み器ハウジング上の前記位置合わせ部材に解除可能に取り付けられる、位置合わせ溝と、
前記後部端部に配置され、ラッチ表面を含み、前記バネ負荷のスライダー内の前記スロットに解除可能に取り付けられ、前記ラッチ表面が、前記スロットの前記前部側面上の前記突出する口縁に対して付勢され、前記接続部材を前記ハンドルと緊合する関係に引き寄せるように、及び過度の力の下で前記接続部材が解放され得るように、前記ラッチ表面とフックとが角度を付けられている、フックと、を含む、接続部材と、
前記接続部材の前記前部端部に取り付けられるかみそりカートリッジと、を含む、装置。
【請求項９】
前記接続部材の両側に配置される前記位置合わせ溝がＬ字形であり、前記位置合わせ部材と相互作用し、前記刈込み器ハウジングへの前記接続部材の一方向の取り付けを提供する、請求項８に記載の装置。
【請求項１０】
前記フック上の前記バネ負荷のスライダーと、前記接続部材の前記スロットとによって生じる力が、取り付け中に可聴クリック音を生成する、請求項８に記載の装置。
【請求項１１】
前記かみそりカートリッジが、前記接続部材の前記前部端部に取り外し可能に取り付けられる、請求項８に記載の装置。
【請求項１２】
刈込み装置用の湿式剃毛かみそりアタッチメントであって、
前部端部及び後部端部を有する接続部材であって、
前記前部端部に近接して前記接続部材の両側に配置され、前記刈込み装置への前記接続部材の一方向の取り付けを提供する前記刈込み装置の両側にある刈り込み装置側位置合わせガイドに解除可能に取り付けられる、アタッチメント側位置合わせガイドと、
前記後部端部に配置され、前記刈込み装置内のスロットに解除可能に取り付けられる、少なくとも１つのフックと、を含む、接続部材と、
前記接続部材の前記前部端部に取り付けられるかみそりカートリッジと、を含む、湿式剃毛かみそりアタッチメント。
【請求項１３】
前記接続部材の両側に配置される前記アタッチメント側位置合わせガイドが位置合わせ溝を含み、前記位置合わせ溝が、前記刈込み装置の両側にある前記刈り込み装置側位置合わせガイドの位置合わせピンに解除可能に取り付けられる、請求項１２に記載の湿式剃毛かみそりアタッチメント。
【請求項１４】
前記位置合わせ溝が、Ｌ字形であり、前記位置合わせピンと相互作用し、かつ前記剃毛及び刈込みを組み合わせた装置への前記接続部材の一方向の取り付けを提供するように構成される、請求項１３に記載の装置。
【請求項１５】
前記接続部材の両側に配置される前記アタッチメント側位置合わせガイドが位置合わせピンを含み、前記位置合わせピンが、前記刈込み装置の両側にある前記刈り込み装置側位置合わせガイドの位置合わせ溝に解除可能に取り付けられる、請求項１２に記載の湿式剃毛かみそりアタッチメント。
【発明の詳細な説明】
【技術分野】
【０００１】
本発明は、剃毛及び刈込みを組み合わせた装置に関する。詳細には、本発明は、湿式剃毛かみそりアタッチメントを刈込み装置に接続するロック機構に関する。より詳細には、本発明は、刈込み装置への正しくない取り付けを防ぐための機構を含む湿式剃毛かみそりアタッチメントに関する。
【背景技術】
【０００２】
消費者の大部分は、顔の毛の外観を変えたいと思うたびに、例えば、かみそり、はさみ、及び電気刈込み器といった複数の道具を取り扱うのは、ひどく面倒な場合があると感じている。剃毛及び刈込みの両方を提供する身だしなみ用装置は、当該技術分野において既知であるが、このような装置はかさばることが多く、使いにくいことがある。例えば、米国特許第７，５３６，７８７号に開示される、装置の同じ端部に位置する電気刈込み刃及び湿式剃毛刃の両方を有する身だしなみ用装置は、視界を遮る可能性がある。例えば、ユーザーがもみあげ、口ひげ、又は他の顔の毛を刈込むために刈込み器を使用する際に、湿式剃毛刃がユーザーの視界を遮る場合がある。したがって、湿式剃毛かみそり刃のカートリッジに取り付ける一端部と刈込み器に取り付ける別の端部とを有する接続部材等の、取り外し可能な剃毛構成要素を有する剃毛及び刈込み装置の必要性がある。
【０００３】
刈込み器と湿式剃毛かみそり刃のカートリッジとの間の接続部材は、いくつかの必要条件を満たさなければならない。構造体は、湿式剃毛の使用中に刈込み器のハンドルの力及び動きのすべてを湿式剃毛カートリッジ上に移動させるために、固定され安定でなければならない。特に、損傷を防ぐために意図しないアタッチメントの解放を避けなければならない。構造体は、湿式剃毛の使用と刈込みの使用との間の切り替えを行うために、消費者が容易に取り付け及び取り外しができなければならない。構造体は、カートリッジへの破損を防ぐために、使用中に湿式剃毛アタッチメントが付いた刈込み器が落下した場合、衝撃力に耐えることができなければならない。いくつかの組み合わせでは、湿式剃毛及び身だしなみ用装置は、構造体が刈込み器のハンドルから生成される振動を湿式剃毛アタッチメントに移動させるように設計されている。これは、振幅が失われ、そして場合によりがたつく音を生じさせることになる部品間のいかなる遊び又は隙間がない、しっかりとした嵌合を必要とする。
【先行技術文献】
【特許文献】
【０００４】
【特許文献１】米国特許第７，５３６，７８７号
【発明の概要】
【発明が解決しようとする課題】
【０００５】
消費者が容易に取り付け及び取り外しできる、接続部材を含む湿式剃毛アタッチメントを有する剃毛及び刈込みを組み合わせた装置の必要性がある。更に、刈込み器に一方向で接続する直感的なアタッチメントを提供することにより、接続部材及び／又は刈込み器への不安定な接続又は損傷の可能性を減らす、接続部材を含む湿式剃毛アタッチメントの必要性がある。更に、使用中に湿式剃毛アタッチメントを固定するだけでなく、装置が落下した場合に衝撃で接続部材が刈込み器から外れるように解除可能である、ロック機構を含む接続部材の必要性がある。
【課題を解決するための手段】
【０００６】
電池作動式の刈込み器、及び解除可能なロック機構によって刈込み器に取り外し可能に接続される湿式剃毛かみそりアタッチメントを備えた、剃毛及び刈込みを組み合わせた装置が提供される。刈込み器は、上端部及び下端部、並びに前側及び後側を有するハンドルを含む。電動刈込み刃及び刈込み器ハウジングは、上端部に隣接して配置される。刈込み器ハウジングは、湿式剃毛かみそりアタッチメントに少なくとも１つの第１の接続をもたらす、器ハウジングの両側において電動刈込み刃に近接して配置される位置合わせ部材を含む。ハンドルは、上端部と下端部との間で上端部により近接してハンドルの後側にスロットを含む。スロットは、ハンドルの上端部に向いて前部側面と、ハンドルの下端部に向いて後部側面とを含む。スロットの前部側面は、ハンドルを湿式剃毛かみそりアタッチメントに解除可能に取り付ける第２の接続をもたらす湿式剃毛かみそりアタッチメントと相互作用する突出する口縁を含む。
【０００７】
湿式剃毛かみそりアタッチメントは、前部端部及び後部端部、並びに前面及び後面を有する接続部材を備える。接続部材の前部端部は、前部端部に近接して接続部材の両側に配置される位置合わせ溝を含む。位置合わせ溝は、刈込み器ハウジング上の位置合わせ部材に解除可能に取り付けられる。接続部材の後部端部は、ハンドル内のスロットの前部側面上の突出する口縁に解除可能に取り付けられるラッチ表面を有する、少なくとも１つのフックを前面上に含む。
【０００８】
一実施形態では、バネ負荷のスライダーは、前述のスロットがバネ負荷のスライダーに配置されて、上端部に近接してハンドルの後側に配置される。バネ負荷のスライダーは、ハンドルの長さに沿ってスライダーの直線的な動きを前後に付勢し、スロットの前部側面上の突出する口縁と接続部材の後部端部上のフックのラッチ表面との間に付勢力を発生させるバネを含む。
【０００９】
別の実施形態では、刈込み装置用の湿式剃毛かみそりアタッチメントが提供される。湿式剃毛かみそりアタッチメントは、剃毛及び刈込みを組み合わせた装置を形成する刈込み装置に取り付けられる。湿式剃毛かみそりアタッチメントは、接続部材の前部端部に近接して接続部材の両側に配置される位置合わせガイドを備える接続部材を含む。位置合わせガイドは、刈込み装置への接続部材の一方向の取り付けを提供する刈込み装置の両側にある位置合わせガイドに解除可能に取り付けられる。好ましくは、接続部材の両側に配置される位置合わせガイドは、位置合わせ溝を備え、刈込み装置の両側に配置される位置合わせガイドは、位置合わせピンを備える。あるいは、接続部材の両側に配置される位置合わせガイドは、接続部材の内側表面上に位置合わせピンを備えていてもよく、刈込み装置の両側に配置される位置合わせガイドは、位置合わせ溝を備えていてもよい。少なくとも１つのフックが、接続部材の後部端部に配置される。フックは、剃毛及び刈込みを組み合わせた装置内のスロットに解除可能に取り付けられる。かみそりカートリッジは、接続部材の前部端部に取り付けられる。
【図面の簡単な説明】
【００１０】
【図１ａ】湿式剃毛かみそりアタッチメントの取り付けを例示する剃毛及び刈込みを組み合わせた装置の斜視図。
【図１ｂ】湿式剃毛かみそりアタッチメントの取り付けを例示する剃毛及び刈込みを組み合わせた装置の斜視図。
【図１ｃ】湿式剃毛かみそりアタッチメントの取り付けを例示する剃毛及び刈込みを組み合わせた装置の斜視図。
【図２ａ】湿式剃毛かみそりアタッチメントのロック機構を示す湿式剃毛及び刈込みを組み合わせた装置の断面図。
【図２ｂ】湿式剃毛かみそりアタッチメントのロック機構を示す湿式剃毛及び刈込みを組み合わせた装置の断面図。
【図２ｃ】湿式剃毛かみそりアタッチメントのロック機構を示す湿式剃毛及び刈込みを組み合わせた装置の断面図。
【図２ｄ】湿式剃毛かみそりアタッチメントのロック機構を示す湿式剃毛及び刈込みを組み合わせた装置の断面図。
【図３】図２ａ〜２ｄに示すロック機構の代替実施形態の断面図。
【図４ａ】湿式剃毛かみそりアタッチメントの斜視図。
【図４ｂ】湿式剃毛かみそりアタッチメントの斜視図。
【図４ｃ】湿式剃毛かみそりアタッチメントの斜視図。
【図５】本発明による刈込み器の実施形態の平面図。
【図６ａ】図５に示す刈込み器の実施形態のロック機構の断面図。
【図６ｂ】図５に示す刈込み器の実施形態のロック機構の断面図。
【図７ａ】湿式剃毛かみそりアタッチメントの代替実施形態の断面図。
【図７ｂ】湿式剃毛かみそりアタッチメントの代替実施形態の断面図。
【図７ｃ】湿式剃毛かみそりアタッチメントの代替実施形態の断面図。
【図７ｄ】湿式剃毛かみそりアタッチメントの代替実施形態の断面図。
【図８ａ】湿式剃毛かみそりアタッチメントの代替実施形態の斜視図。
【図８ｂ】湿式剃毛かみそりアタッチメントの代替実施形態の斜視図。
【図９】刈込み用櫛が取り付けられた湿式剃毛及び刈込みを組み合わせた装置の部分断面図。
【図１０ａ】本発明による位置合わせガイド及び位置合わせ部材を使用した湿式剃毛かみそりアタッチメントの取り付けを例示する剃毛及び刈込みを組み合わせた装置の斜視図。
【図１０ｂ】本発明による位置合わせガイド及び位置合わせ部材を使用した湿式剃毛かみそりアタッチメントの取り付けを例示する剃毛及び刈込みを組み合わせた装置の斜視図。
【図１０ｃ】本発明による位置合わせガイド及び位置合わせ部材を使用した湿式剃毛かみそりアタッチメントの取り付けを例示する剃毛及び刈込みを組み合わせた装置の斜視図。
【図１１】本発明による位置合わせガイド及び位置合わせ部材を含む剃毛及び刈込みを組み合わせた装置の側面図。
【図１２ａ】組み立て時の段付きスロット及び段式ピンの目に見える部分を示す接続部材の側面図。
【図１２ｂ】図１２ａに示す段付きスロットと相互作用する段式ピンの断面図。
【図１２ｃ】図１２ａに示す段付きスロットの段付き面を示す接続部材の内側表面の側面図。
【図１３】位置合わせ部材が接続部材の内側表面に配置され、溝を備える位置合わせガイドが刈込み器ハウジングの外側表面に配置された、刈込み器ハウジングに取り付けられる接続部材の側面図。
【図１４ａ】位置合わせガイドを有する湿式剃毛かみそりアタッチメントの取り付けを例示する剃毛及び刈込みを組み合わせた装置の斜視図。
【図１４ｂ】位置合わせガイドを有する湿式剃毛かみそりアタッチメントの取り付けを例示する剃毛及び刈込みを組み合わせた装置の斜視図。
【図１４ｃ】位置合わせガイドを有する湿式剃毛かみそりアタッチメントの取り付けを例示する剃毛及び刈込みを組み合わせた装置の斜視図。
【発明を実施するための形態】
【００１１】
図１ａ〜１ｃは、剃毛及び刈込みを組み合わせた装置１０を示す。装置１０は、ハンドル１２、電動刈込み器３０、及び刈込み器３０に取り外し可能に接続される湿式剃毛かみそりアタッチメント２０を含む。ハンドル１２は、上端部１４及び下端部１６、並びに前側１８及び後側１９を有する。刈込み器３０は、前側１８の上端部１４に又はその近傍に位置し、少なくとも１つの刈込み刃（鋸歯状であってよい）を動かすように構成され、この刈込み刃は刈込み器３０内に配置される。特定の実施形態では、積み重ねた位置に配置される複数の刈込み刃があってもよく、１つ以上の刈込み刃の刃先に隣接して置かれる毛髪を刈込む又は切断する動作を行うために、少なくとも１つの刃が他の刃に対して往復運動する。刈込み器ハウジング３２は、刈込み器３０の近傍に上端部１４に隣接して配置される。
【００１２】
湿式剃毛かみそりアタッチメント２０は、接続部材２２及びかみそりカートリッジ２４を含む。接続部材２２は、ハンドル１２の上に刈込み器３０に被せて装着するように適合される。かみそりカートリッジ２４は、接続部材２２と係合可能に嵌合する。図１ａ〜ｃの実施形態では、かみそりカートリッジ２４は、接続部材２２に取り外し可能に取り付けられる。かみそりカートリッジ２４は、カートリッジ２４のハウジング２８内に装着される１つ以上の刃２６を含む。装置１０は、図１ａに示すように、湿式剃毛かみそりアタッチメント２０が完全に取り外されて刈込み装置として作動する、又は湿式剃毛アタッチメント２０が上端部１４に取り外し可能に取り付けられて湿式剃毛装置として作動するように構成される。図１ｂ及び１ｃは、湿式剃毛かみそりアタッチメント２０がハンドル１２に組み立てられる経過を例示する。剃毛及び刈込みを組み合わせた装置１０は、少なくとも１つの刈込み刃の動きから得られる振動がかみそりアタッチメント２０への振動に移動するように、湿式剃毛かみそりアタッチメント２０がハンドル１２に組み立てられている間、刈込み器３０の作動によって電動湿式剃毛装置として機能し得る。
【００１３】
別の実施形態（図示せず）では、湿式剃毛かみそりアタッチメント２０は、かみそりカートリッジ２４を接続部材２２から取り外し可能に取り付けるための排除機構を含む。更に別の実施形態では、かみそりカートリッジ２４は、前面上に１つ以上のかみそり刃を含み、少なくとも１つの刃が、この前面に対して実質的に垂直に配置される。かみそりカートリッジ２４は、Ｖｉｎｃｅｎｔ  Ｗａｌｋｅｒに付与され、Ｔｈｅ  Ｇｉｌｌｅｔｔｅ  Ｃｏｍｐａｎｙに譲渡された、米国特許出願第７，６６９，３３５号に開示される種類のものであってもよい。
【００１４】
別の実施形態では、湿式剃毛かみそりアタッチメントが完全に取り外されるとき、毛髪を所望の長さに刈込むための櫛アタッチメントが刈込み装置２１０に組み立てられてもよい。図９に示すように、櫛アタッチメント２３８は、湿式剃毛かみそりアタッチメントに使用される接続機構と同じ機構のうちのいくつか、又はすべてを用いて、刈込み器ハウジング２３２に取り付けるように構成され得る。
【００１５】
図２ａ〜２ｄに示す実施形態では、刈込み装置１０は、湿式剃毛かみそりアタッチメント２０の接続部材２２と相互作用する刈込み器３０の前側１８に配置された少なくとも１つの突出する縁部３４を備える刈込み器ハウジング３２を含む。代替実施形態では、刈込み器ハウジング３２は、刈込み器３０の両側（刈込み器３０の左右）の前側１８に配置される２つの離間配置される突出する縁部３４を含み得る。以下でより完全に説明する別の実施形態では、刈込み器ハウジング３２は、湿式剃毛かみそりアタッチメント２０の接続部材２２に配置される位置合わせガイドと嵌合し解除可能な取り付けを提供する、刈込み器ハウジング３２の両側において電動刈込み器３０に近接して配置される、２つの離間配置される位置合わせガイドを含んでいてもよい。
【００１６】
刈込み装置１０は、ハンドル１２の後側１９の上端部１４に近接して配置され、湿式剃毛かみそりアタッチメント２０に解除可能な接続をもたらす、バネ負荷のスライダー４０を含む。バネ負荷のスライダー４０は、前部側面４４及び後部側面４６を有するスロット４２を含む。スロット４２の前部側面４４は、湿式剃毛かみそりアタッチメント２０の接続部材２２と相互作用する突出する口縁４８を含む。バネ負荷のスライダー４０は、スライダー４０の直線的な動きを前部方向及び後部方向に付勢するバネ７０を含む。図２ａ及び２ｃに示す実施形態では、バネ７０は、スロット４２の前部側面４４の近傍に位置する。しかしながら、図３に示し、以下で完全に説明する代替実施形態では、バネ１７０はスロット１４２の後部側面１４６の近傍に位置する。
【００１７】
湿式剃毛かみそりアタッチメント２０は、前部端部５０及び後部端部５２、並びに前面５４及び後面５６を有する接続部材２２を備える。接続部材２２は、前部端部５０に近接する前面５４に配置される突出する肩部５８を含む。突出する肩部５８は、刈込み器ハウジング３２の突出する縁部３４に解除可能に取り付けられる。以下でより完全に説明する代替実施形態では、接続部材は、刈込み器ハウジング３２に配置される位置合わせガイドと解除可能に嵌合する、接続部材の両側に配置される位置合わせガイドを含む。
【００１８】
少なくとも１つのフック６０が、接続部材２２の前面５４上の、後部端部５２に配置される。フック６０はラッチ表面６２を含む。図２ｂ及び２ｄに示すように、フック６０は、ラッチ表面６２がスロット４２の前部側面４４上の突出する口縁４８に接するように、バネ負荷のスライダー４０のスロット４２に解除可能に取り付けられる。接続部材２２のフック６０をスロット４２の前部側面４４上の突出する口縁４８に取り付けている間、可聴クリックが生成される。図示されていない代替実施形態では、接続部材は、接続部材の後部端部に配置される２つ以上のフックを含み得る。
【００１９】
図２ａ〜２ｄに示す実施形態では、スライダー４０に取り付けられるバネ７０によって生成されるスプリング力が、接続部材２２をハンドル１２と緊合する関係に引き寄せるように、ラッチ表面６２は角度を付けられる。更に、ラッチ表面６２の角度を付けられた構成及びバネ負荷のスライダー４０の組み合わせによって、接続部材２２は、装置１０を落下させることにより生じる突然の衝撃等の過度の力の下で解放可能である。そのような力の下で接続部材２２がハンドル１２から分離可能であることによって、使用中に装置が誤って落下した場合、接続部材２２が壊れるのを防ぐことができる。
【００２０】
バネ１７０がスロット１４２の後部側面１４６の近傍に位置する図３に示す代替実施形態では、フック１６０及び対応するラッチ表面１６２は、スロット１４２の後部側面１４６に向いて配向される。この実施形態では、スロット１４２の後部側面１４６は、フック１６０上でラッチ表面１６２と相互作用する突出する口縁１４８を含む。
【００２１】
図４ａ〜４ｃに示す一実施形態では、接続部材２２上のフック６０は、通常使用（すなわち、剃毛、接続部材からカートリッジを取り外す等）の間、接続部材２２の動きを制限するリブ６４を含む。リブ６４は、フック６０の前部面の中央に配置される。この実施形態では、図５に示すバネ負荷のスライダー４０のスロット４２は、リブ６４を収容できるようにスロット４２の前部側面４４にチャネル４５を含む。チャネル４５は、スロット４２の前部側面４４に垂直に配向される。図６ａ及び６ｂは、接続部材２２、並びに図５に示すスロット４２及びチャネル４５に解除可能に取り付けられるリブ６４を備えるフック６０を含む、湿式剃毛かみそりアタッチメント２０を示す。
【００２２】
図７ａ〜７ｄに示す代替実施形態では、接続部材２２２は、接続部材２２２とハンドル２１２との間で付勢された解除可能な接続を提供するように構成され得る。この実施形態では、ハンドル２１２は、バネ負荷のスライダーなしで、上端部２１４に近接してハンドル２１２の後側２１９に直接配置されるスロット２４２を備えて構成される。前述のスライダー構成と類似して、ハンドル２１２内のスロット２４２は、前部側面２４４及び後部側面２４６を含む。スロットの前部側面は突出する口縁２４８を含む。接続部材２２２は、前面２５４及び後面２５６、並びに前部端部２５０及び弾性のある可撓性後部端部２５２を含む。突出する肩部２５８は、前部端部２５０に近接する前面２５４に配置される。突出する肩部２５８は、ハンドル２１２の前側２１８に、刈込み器ハウジング２３２の少なくとも１つの突出する縁部２３４に解除可能に取り付けられる。好ましくは、突出する肩部２５８は、刈込み器２３０の両側に配置される刈込み器ハウジング２３２の２つの突出する縁部２３４に解除可能に取り付けられる。フック２６０は、弾性のある可撓性後部端部２５２で前面２５４に配置される。フック２６０は前方を向くラッチ表面２６２を含み、フック２６０はハンドル２１２の後側２１９のスロット２４２に解除可能に取り付けられる。ラッチ表面２６２は、弾性のある可撓性後部端部２５２によってスロット２４２の前部側面２４４上の突出する口縁２４８に対して付勢される。
【００２３】
この実施形態では、図７ａ〜７ｄに示すように、接続部材２２２の弾性のある後部端部２５２は、接続部材２２２の後面２５６に取り付けられる成形弾性要素２８０を含み得る。成形弾性要素２８０は、接続部材２２２とハンドル２１２との間の解除可能な取り付けに必要な弾性のある柔軟性をもたらす。図７ｄに示すように、接続部材２２２は、接続部材２２２の弾性のある後部端部２５２に力Ｆを加えることで取り外される。
【００２４】
図８ａ及び８ｂに示す代替実施形態では、接続部材３２２は、硬質プラスチックから構成され得、弾性のある後部端部３５２は弾力的に曲がりやすいように構成され得る。図８ａに示す実施形態では、後部端部３５２は、後部端部３５２を接続部材３２２の前部端部３５４に接続する硬質プラスチックの一体化したストリップ３９４を形成する接続部材３２２の両側の不連続のスロット３９０、３９２によって、前部端部３５０から部分的に分離される。硬質プラスチックの一体化したストリップ３９４は、弾性のある可撓性後部端部３５２を形成し、図８ｂに示すように、接続部材３２２がハンドル３１２に取り外し可能に取り付けられる間、後部端部３５２及び対応するフック（図示せず）を偏向させる。
【００２５】
湿式剃毛かみそりアタッチメント２０を刈込み器１０に確実に正しく組み立てるために、剃毛及び刈込みを組み合わせた装置は、刈込み器１０への湿式剃毛かみそりアタッチメント２０の一方向の取り付けを提供する機構を含んでいてもよい。図１０ａ〜１０ｃは、湿式剃毛かみそりアタッチメント４２２が、一方向の取り付けを提供する位置合わせガイドを含む刈込み装置４１０に組み立てられる経過を示す。このような機構には、刈込み装置４１０及び湿式剃毛かみそりアタッチメントの接続部材４２２の両方に配置される位置合わせガイドを挙げることができる。
【００２６】
図１０ａ〜１０ｃに示す実施形態の場合、刈込み器ハウジングは、刈込み器ハウジング４３２の両側において電動刈込み刃に近接して刈込み器ハウジング４３２に配置される位置合わせ部材４９２を含む。この実施形態の場合、接続部材４２２は、接続部材４２２の前部端部に近接して接続部材４２２の両側に配置される位置合わせ溝４８２を含む。位置合わせ溝４８２は、位置合わせ部材４９２と嵌合する。図１１に示すように、位置合わせ部材４９２は、刈込み器ハウジング４３２から延びるピンを含んでいてもよく、位置合わせ溝４８２は、接続部材４２２の両側にスロットを含んでいてもよい。図１０ａ〜１０ｃ及び図１１に示す実施形態の場合、接続部材４２２の位置合わせ溝４８２は、刈込み器ハウジング４３２への接続部材４２２の一方向の取り付けを提供し、接続部材４２２の後部端部上のフック４６０を刈込み器のハンドル４１２の後側のスロットに接触させるために、ピン４９２を中心に接続部材４２２の回転を促すようにＬ字形である。
【００２７】
図１２ａ〜１２ｃに示す代替実施形態では、剃毛及び刈込みを組み合わせた装置の美的観点において位置合わせガイドの影響を最小限に抑えるために、位置合わせ部材は段式ピンを含み、位置合わせ溝は段付き溝を含む。段式ピン５９２は、刈込み器ハウジング５３２に結合した第１の直径を有する基部５９６と、第２の直径を有する刈込み器ハウジング５３２から反対方向に延びる先端部５９８とを含み、第１の直径は第２の直径より大きい。この実施形態の場合、接続部材５２２の位置合わせ溝５８２は、接続部材５２２の内側表面に第１の幅を有する第１のチャネル５８４と、第１の幅より小さい第２の幅を有する第１のチャネル５８４内の第２のチャネル５８６とを形成する、接続部材５２２の内側表面上の複合溝５８２を含む。組み立て時には、第１のチャネル５８４は段式ピン５９２の基部５９６を受容し、第２のチャネル５８６は段式ピン５９２の先端部５９８を受容する。基部５９６におけるピン５９２の直径は、良好な機械的抵抗及び良好な誘導面を提供するように大きさが決められ、段はピンの先端部５９８の直径を小さくするために作製される。その結果、組み立て時には、接続部材５２２上の位置合わせ溝５８２の第２のチャネル部分５８６及び刈込み器ハウジング５３２上の段型ピン５９２の先端部分５９８のみが見える。別の実施形態では、段型ピン５９２の先端部分５９８が組み立て時には見えるが露出しないように、半透明の材料が第２のチャネル部分５８６を覆うことで第２のチャネル部分を閉じることができる。
【００２８】
図１３に示す別の実施形態では、刈込み装置６１０は、位置合わせ溝６８２を備える刈込み器ハウジング６３２上の位置合わせガイドと、位置合わせ部材６９２を備える接続部材６２２上の位置合わせガイドとを含む。この実施形態の場合、位置合わせ部材６９２は、接続部材６２２の両側で接続部材６２２の内側表面に配置されるピンを含む。位置合わせ溝６８２は、刈込み器ハウジング６３２の両側で電動刈込み刃に近接するチャネルを含む。
【００２９】
前述の図９に示す毛髪を所望の長さに刈込むための櫛アタッチメントは、前述の位置合わせガイド及び位置合わせ部材を使用して、刈込み装置４１０に組み立てられてもよい。図１４ａ〜１４ｃに示すように、櫛アタッチメント７３８は、湿式剃毛かみそりアタッチメントに使用される接続機構と同じ機構のいくつか、又はすべてを使用して刈込み装置４１０の刈込み器ハウジング４３２に取り付けるように構成され得る。この実施形態の場合、櫛アタッチメント７３８は、櫛アタッチメント７３８の前部端部に近接して櫛アタッチメント７３８の両側に配置される位置合わせ溝７８２を含む。位置合わせ溝７８２は、刈込み器ハウジング４３２上の位置合わせ部材４９２と嵌合する。図１４ａに示すように、位置合わせ部材４９２は、刈込み器ハウジング４３２から延びるピンを含んでいてもよく、位置合わせ溝７８２は、櫛アタッチメント７３８の両側にスロットを含んでいてもよい。前述の図１０ａ〜１０ｃに示す接続部材と同様に、図１４ａ〜１４ｃに示す櫛アタッチメント７３８は、刈込み器ハウジング４３２への櫛アタッチメント７３８の一方向の取り付けを提供し、櫛アタッチメント７３８の後部端部上のフック７６０を刈込み器のハンドル４１２の後側のスロット４４２に接触させるために、ピン４９２を中心に櫛アタッチメント７３８の回転を促す、Ｌ字形の位置合わせ溝７８２を含む。
【００３０】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【００３１】
相互参照されるか又は関連するすべての特許又は特許出願を含む、本明細書に引用されるすべての文書を、特に除外すること又は限定することを明言しない限りにおいて、その全容にわたって本明細書に援用するものである。いずれの文書の引用も、こうした文書が本明細書で開示又は特許請求されるすべての発明に対する先行技術であることを容認するものではなく、また、こうした文書が、単独で、あるいは他のすべての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００３２】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１ａ】
0005587498.tif 000002
【図１ｂ】
0005587498.tif 000003
【図１ｃ】
0005587498.tif 000004
【図２ａ】
0005587498.tif 000005
【図２ｂ】
0005587498.tif 000006
【図２ｃ】
0005587498.tif 000007
【図２ｄ】
0005587498.tif 000008
【図３】
0005587498.tif 000009
【図４ａ】
0005587498.tif 000010
【図４ｂ】
0005587498.tif 000011
【図４ｃ】
0005587498.tif 000012
【図５】
0005587498.tif 000013
【図６ａ】
0005587498.tif 000014
【図６ｂ】
0005587498.tif 000015
【図７ａ】
0005587498.tif 000016
【図７ｂ】
0005587498.tif 000017
【図７ｃ】
0005587498.tif 000018
【図７ｄ】
0005587498.tif 000019
【図８ａ】
0005587498.tif 000020
【図８ｂ】
0005587498.tif 000021
【図９】
0005587498.tif 000022
【図１０ａ−１０ｃ】
0005587498.tif 000023
【図１１】
0005587498.tif 000024
【図１２ａ】
0005587498.tif 000025
【図１２ｂ】
0005587498.tif 000026
【図１２ｃ】
0005587498.tif 000027
【図１３】
0005587498.tif 000028
【図１４ａ−１４ｃ】
0005587498.tif 000029